(57)【要約】【課題】  手乾燥装置の、エアーフィルタは、取付け位置がわかりにくいため、清掃されにくい。清掃が行なわれた場合でも取付け忘れや、悪戯に紛失するといった問題もある。また、ドレン容器とエアーフィルタが一緒に清掃されるため、フィルタに水滴が付着したまま取付られ、高圧空気流発生装置に水が吸い込まれてしまう恐れがある。【解決手段】  凹状空間として構成された手挿入部で手に付着した水分を吹き飛ばし、この水を脱着可能なドレン容器に溜めるようにし、また高速空気流を生成するための空気を取込む空気取入口にはエアーフィルタを設けた手乾燥装置について、このエアーフィルタに近接してブラシもしくはエアーフィルタを振動させる振動子を配置し、エアーフィルタを取外さなくても清掃できることを特徴とする手乾燥装置。【選択図】          図１
2006043085.tif 000002
【特許請求の範囲】
【請求項１】
本体に設けた手挿入凹部、この凹部開口面上部に手に付着した水を吹き飛ばす高圧気流吹き出し口を設け、この吹き出し口に高圧空気を送る送風機を設け、前記手挿入凹部で手に付着した水を吹き飛ばす構成の手乾燥装置において、前記吹き飛ばされた水を回収する水受け部を上記凹部下面に設け、この下面より回収した水を溜めるドレン容器を上記水受け部下方に上記本体と着脱自在となるように形成し、この水受け部上部に上記送風機の空気流の吸い込み口に上記高圧気流吸吸い込み空気を清浄化するエアーフィルタを設け前記エアーフィルタの吸い込み面を清掃するエアーフィルタ清掃用ブラシを上記ドレン容器の上面に取付けた手乾燥装置。
【請求項２】
上記ドレン容器の着脱時に上記ブラシが前記エアーフィルタ面を習動してエアーフィルタを清掃するようにした請求項1に記載した手乾燥装置。
【請求項３】
本体に設けた手挿入凹部、この凹部開口面上部に手に付着した水を吹き飛ばす高圧気流吹き出し口を設け、この吹き出し口に高圧空気を送る送風機を設け、前記手挿入凹部で手に付着した水を吹き飛ばす構成の手乾燥装置において、前記吹き飛ばされた水を回収する水受け部を上記凹部下面に設け、この下面より回収した水を溜めるドレン容器を上記水受け部下方に上記本体と着脱自在となるように構成し、この水受け部上部に上記送風機の空気流の吸い込み口を設け、この高圧気流吸い込み口に吸い込み空気を清浄化するエアーフィルタを設けてこのエアーフィルタに近接してエアーフィルタを振動させる振動子を配置した手乾燥装置。
【発明の詳細な説明】
【技術分野】
【０００１】
本発明は、洗面所やトイレ等にて、洗浄後の濡れた手を乾燥する手乾燥装置の改良に関するものである。
【背景技術】
【０００２】
従来洗浄後の濡れた手を乾燥させる装置として、高速空気流により手に付着した水滴を吹き飛ばし乾燥させる手乾燥装置がある。この装置は、箱体内を凹状形態の処理空間とした手挿入部が設けられ、手挿入部にはエアーノズルが配設されている。このエアーノズルは高圧空気流発生装置に接続されたエアーダクトが繋がれ、手挿入部内に高速空気流を噴出するようになっている。手の乾燥処理に伴い手挿入部に吹き飛ばされた水は、手挿入部の底部に設けられた排水口から手挿入部の下方に備えられたドレン容器に滴下し、ドレン受けに溜められる。なお、この種の従来技術としては、特許文献１に開示されているものがある。
【０００３】
【特許文献１】特開平１１−２４４１９２号公報
【発明の開示】
【発明が解決しようとする課題】
【０００４】
従来の高速空気流で手を乾燥する手乾燥装置では、空気吸い込み口に設けたエアーフィルタに、ほこりや塵が溜まると、高圧気流発生用送風機への吸気量が減少して、乾燥能力が低下するため、定期的に清掃する必要がある。また、高圧空気流発生用送風機に吸込まれる空気は塵埃等を除去することが必ず必要である。エアーフィルタを取外して清掃等をした場合は、エアーフィルタの付け忘れといった問題があった。従来の構造ではドレン容器とエアーフィルタを連結したものがある。また、エアーフィルタが取付けられなかった場合には、運転できないようにしたものもあるが、前記の場合、清掃者がエアーフィルタを紛失して長い期間装着しないとその期間運転できないという問題やドレン容器の清掃に際してエアーフィルタも水に濡れ、エアーフィルタに付着した水が高圧空気流発生装置に吸込まれてしまうという問題点がある。
【０００５】
本発明は、上記した従来の問題点を解決するためになされたもので、その課題とするところは、エアーフィルタの付け忘れを防止できる手乾燥装置を得ることであり、エアーフィルタに近接して設けられたドレン容器の清掃用機構により、エアーフィルタを取外さなくてもエアーフィルタの汚れを清掃できる手乾燥装置を得ることであり、手乾燥装置運転等の取扱いを容易にすることを目的としたものである。
【課題を解決するための手段】
【０００６】
上記課題を解決するために本発明は、高圧空気流を発生する高圧空気流発生装置と、該高圧空気流発生装置により生成された高圧空気流を噴出するノズルと、濡れた手の挿抜可能な手挿入部と、前記ノズルによって吹き飛ばされた水滴を回収する水受け部と、前記水受け部で回収した水を溜めるドレン容器を設け、このドレン容器を本体下面で抜き差し可能にして脱着できる構成とし、前記高圧空気流を生成するための空気を取込む空気取込み口と、この空気取込み口にはエアーフィルタを設け、エアーフィルタに近接してブラシを配置した手段を採用する。
【０００７】
また、この発明の第2の構成は、高圧空気流を発生する高圧空気流発生装置と、該高圧空気流発生装置により生成された高圧空気流を噴出するノズルと、手を挿抜可能な手挿入部と、前記ノズルによって吹き飛ばされた水滴を回収する水受け部と、前記水受け部で回収した水を溜めるドレン容器を設け、このドレン容器を抜き差し可能にして脱着できる構成とし、前記高圧空気流を生成するための空気を取込む空気取込み口と、この空気取込み口にはエアーフィルタを設け、エアーフィルタに近接してエアーフィルタを振動する振動子を配置した構成とした。
【０００８】
また、エアーフィルタとドレンタンクが連結していないので、エアーフィルタが水に濡れることなく、水が高圧空気流発生装置に吸込まれてしまう恐れはなくなる。
【０００９】
本発明の手乾燥装置は、凹状空間として構成された手挿入部が構成された本体箱体に、高速空気流を生成する高圧空気流発生装置が組込まれている。高圧空気流発生装置に空気を取込む空気取入口は、本体箱体内部に形成された吸気通路端として本体箱体の最下部に開口している。この空気取入口には塵埃を除去するエアーフィルタが装着されている。本体箱体の手挿入部の下部には前後方向へ脱着できるドレン容器が装着されている。高圧空気流発生装置で生成された高圧空気流は、手挿入部の上面に設けられたエアーノズルに導かれる。このエアーノズルから高速空気流を手挿入部内に吹き出して、手挿入部に入れた手に付着した水分を吹き飛ばし、手挿入部の底の水受け部に設けられた排水口からドレン容器に溜めるようになっている。
【発明の効果】
【００１０】
上記手段を採用することにより、エアーフィルタに近接して設けたブラシもしくは振動子でフィルタに付着した塵埃を簡単に除去でき、またエアーフィルタの取付け忘れや、紛失もなくなり、扱い易い手乾燥装置となる。この手乾燥装置では、エアーフィルタに近接して設けられたブラシでエアーフィルタが清掃できるような機能を設けている。従って、エアーフィルタを取外さなくても清掃できるので、エアーフィルタの付け忘れや紛失を防止できる。
【発明を実施するための最良の形態】
【００１１】
実施の形態１．
以下、本発明の実施の形態について説明する。
図１は本発明の実施例の断面図である。この断面図を示すようにこの手乾燥装置は、上面に手挿入口Ａが設けられている。また、本体箱体１内には高圧空気流発生装置２を備え、この高圧空気流発生装置より発生する高圧気流が手挿入口近傍に設けた噴出ノズルＢに送られて、手挿入口に続く処理空間としての手挿入部３内に水分を吹き飛ばして手を乾燥させるように構成されている。本体箱体１は、背面外殻をなすベース４と、正面外殻をなす正面パネル５とから構成されている。
【００１２】
手挿入部３は本体箱体１の正面上部に、両側面が開放した手の挿抜可能な凹状空間として形成され、手挿入部３にて吹き飛ばした水分は、傾斜が付いた水受け部６で回収し、回収した水を傾斜下端に設けた排水口７へ導く構成である。
【００１３】
排水口７には水をドレン容器９へドレンを流す排水管８が接続されている。排水管８で集めた水を貯溜する開放容器構造のドレン容器９は本体箱体１の前後方向への抜き差しできるように脱着可能に設けられている。ドレン容器９には取外し可能な蓋１０が設けられている。なお、ドレン容器９と蓋１０は、耐薬品性のあるポリプロピレン樹脂またはＡＢＳ樹脂で作られ、中性洗剤及びアルコール等を使って洗浄し清掃することができる。また、手挿入部３の表面３Ａには、シリコン系もしくはフッ素系等の撥水性コーティング、又は酸化チタン等の親水性を有するコーティング、又は抗菌剤が含浸され、表面への汚れの付着の軽減や細菌の繁殖の低減を行なうように構成されている。
【００１４】
高圧空気流発生装置２は、ＤＣブラシレスモーター２Ａ（整流子モーター又は誘導電動機であっても良い）と、これを駆動させる駆動回路によって回転するターボファン18により構成され、この実施の形態では手挿入部３の直下に取付けられている。１１は送風機の吸込み部、１２は箱体１の下方に設けられた上記送風機の空気取入口であり、空気取入口１２はエアーフィルタ１３が装着されて、塵埃やほこりが送風機を通じてノズルＢより吹き出さないようにしている。
【００１５】
エアーフィルタ１３は、幅広の平面形態に形成されており、全周には枠１４があり、形状は表裏非対称である。なお、エアーフィルタ１３はＰＰ、ＰＥＴ、ＰＭＭＡなどの材料で作られ、形状はメッシュフィルタもしくはヘパフィルタで、材料には抗菌材が練り込まれている。エアーフィルタ１３は空気取入口１２の突起部１５により固定され容易に外れない構造になっている。ドレン容器９は、本体最下部に位置し、本体箱体１のガイドレール部１６と空気取入口との間に設置され、本体下面より着脱自在となるように構成されている。
【００１６】
上記ドレン容器の蓋１０には、蓋と一体のエアーフィルタ清掃用ブラシ１７が設けてある。ドレン容器９を本体箱体１から、外すときには、エアーフィルタの下面を習働して、エアーフィルタの汚れを落としていく構成となっている。
【００１７】
実施の形態２
図２は実施の形態２で、エアーフィルタ13とブラシ１７との関係概略を示す側面断面図である。エアーフィルタ１３に近接してブラシ１７が配置されている。上述に記載の通り、エアーフィルタ１３は空気取入口１２に固定されており、エアーフィルタに付着した塵埃を本体下面に設けたブラシ１７を取外して除去する。この構造により、清掃の際に、エアーフィルタ１３を取外す必要はなくなるため、エアーフィルタ１３の取付け忘れや紛失といったことはなくなる。また、ドレン容器９と連結していないため、清掃作業で水に濡れたエアーフィルタ１３が装着されるようなことも起き難い。エアーフィルタ１３は表裏非対称であり、このような構造でも、裏面には障壁があるため塵埃除去機能を果たさないような表裏取り違えた状態で装着されたまま手乾燥装置が使用されるようなこともない。
【００１８】
実施の形態３  
図３はエアーフィルタとドレン容器の概略を示す実施の形態３の側面断面図である。エアーフィルタ１３近傍には、自動で可動するブラシ１７を設けている。ブラシ１７は自動可動させる可動装置１９を備え、本体外郭に設けられたスイッチの入切信号によって可動装置１９を回転させ、ブラシ１７を可動し、エアーフィルタ１３の表面に付着した塵埃を除去する構造である。この構造により、図２と同じ効果が得られると供に、本体外郭に設けたスイッチの入切のみでエアーフィルタ１３を清掃できる。このような構造にしても清掃が容易である。
【００１９】
また、ブラシ１７により除去した塵埃は、ドレン容器９の回収部Ａで回収する。回収された塵埃は、ドレン容器９を清掃の際に、廃却することができる。
【００２０】
図４は図１で示す、エアーフィルタとドレン容器の概略を示す側面断面図、図５はドレン容器の上面図である。ドレン容器９にはエアーフィルタ清掃用のブラシ１７を具備している。前記ドレン容器９は回収部Ａ、Ｂに分割されており、回収部Ｂは手に付着した水を回収する。回収した水を廃却するため、ドレン容器９を本体より脱着する構成になっているが、ドレン容器脱着時に、前記ブラシ１７により、エアーフィルタ１３の表面に付着した塵埃を除去する構造である。この構造により、ドレン容器９の清掃を行なう事によりエアーフィルタ１３の下面をブラシ１７で清掃できるため、清掃が容易である。
【００２１】
また、ブラシ１７により除去した塵埃は、ドレン容器９の回収部Ａで回収する。回収された塵埃は、ドレン容器９を清掃の際に、廃却することができる。
【００２２】
実施の形態４
図６は実施の形態４を示す、本体下部の正面図、図７はこの実施例のエアーフィルタの概略を示す側面断面図、図８はエアーフィルタの概略を示す斜視図である。図７に示すように、エア−フィルタ１３の近傍にはブラシ１７が設けられている。また図８で示すように、エアーフィルタ１３の枠１４には左右の突出部１９と取手２０が設けられている。エアーフィルタはその取手２０を持って、前後にスライド可能な構造になっている。エアーフィルタ１３を前後にスライドすることにより、近傍に設けたれたブラシ１７でエアーフィルタ表面に付着した塵埃を除去することができる。また、突出部１９があることで、ある程度エアーフィルタを本体前面に引き出すとドレン容器に設けた左右の系止部により、ロックがかかり、ドレン容器は取り出せないような構造になっている。この構造により、エアーフィルタの清掃が容易にできると共に取付け事の誤動作も防止できる。
【００２３】
また、図７で示すように、ブラシ１７により除去した塵埃は、ドレン容器９の回収部Ａで回収する。回収された塵埃は、ドレン容器９を清掃の際に、廃却することができる。
実施の形態５．
【００２４】
この実施の形態は、エアーフィルタの清掃機構が異なるものであり、清掃構造以外は基本的には実施の形態１のものと同じである。従って、実施の形態１と同じ部分については実施の形態１のものと同じ符号を用いそれらについての説明は省略する。
【００２５】
図９はエアーフィルタの概略を示す側面断面図である。エアーフィルタ１３に近接して振動子２１が配置されている。エアーフィルタ１３は空気取入口１２に固定されており、前記振動子２１が本体外郭に設けられたスイッチの入切信号によって振動し、表面に付着した塵埃を振動によりふるい落とし剥離する構造である。この構造により、清掃の際に、エアーフィルタ１３を取外す必要はなくなるため、エアーフィルタ１３の取付け忘れや紛失といったことはなくなる。また、ドレン容器９と連結していないため、清掃作業で水に濡れたエアーフィルタ１３が装着されるようなこともない。エアーフィルタ１３は表裏非対称であり、裏面には障壁１５があるため塵埃除去機能を果たさないような表裏取り違えた状態で装着されたまま手乾燥装置が使用されるようなこともない。
【００２６】
実施の形態６
図１０は実施の形態６を示し、エアーフィルタとドレン容器の詳細を示す側面断面図である。図１０で示すようにエアーフィルタ１３はプリーツ形状であり、ドレン容器９の上方に設けられている。ドレン容器９にはエアーフィルタ清掃用の突起２２が具備させている。前記ドレン容器９は回収部Ａ、Ｂに分割されており、回収部Ｂは手に付着した水を回収する。回収した水を廃却するため、ドレン容器９を本体より脱着する構造になっているが、ドレン容器脱着時に、前記突起２２により、エアーフィルタ１３が振動し、その振動で表面に付着した塵埃を除去する構造である。この構造により、ドレン容器の脱着時にエアーｆィルターを突起部が振動させて、塵埃等を除去する。これにより、ドレン容器９の清掃のみでエアーフィルタ１３を清掃できるため、清掃が容易である。
また、突起２２により除去した塵埃は、ドレン容器９の回収部Ａで回収する。回収された塵埃は、ドレン容器９を清掃の際に、廃却することができる。
【００２７】
また、上述に記載のエアーフィルタ１３はドレン容器９に具備された突起２２の接触部をインサート成形にて樹脂でコーティングしてある構造であってもよい。
【００２８】
実施の形態７
図１１は、エアーフィルタの概略を示す側面断面図、図１２はエアーフィルタの概略を示す斜視図である。図１１に示すように、エア−フィルタ１３はプリーツ形状であり、近傍には突起２３が具備され、ドレン容器９の上方に設けられている。また、図１２で示すように、エアーフィルタ１３の枠１４には左右の突出部１９と手で持つことのできる取っ手２０があり、エアーフィルタはその取っ手２０を持って、前後にスライド可能な構造になっている。エアーフィルタ１３を前後にスライドすることにより、近傍に設けたれた突起２３でエアーフィルタを振動させ、表面に付着した塵埃を除去することができる。また、突出部１９があることで、ある程度エアーフィルタを本体前面に引き出すとドレン容器に設けた系止部２５でロックがかかり、取り出せないような構造になっている。この構造により、上記実施例６と同様にエアーフィルタの清掃を容易に行ない事ができる。
【００２９】
また、図１１で示すように、除去した塵埃は、ドレン容器９の回収部Ａで回収する。回収された塵埃は、ドレン容器９を清掃の際に、廃却することができる。
【００３０】
また、上述に記載のエアーフィルタ１３はフィルタ近傍に具備された突起２３の接触部をインサート成形にて樹脂でコーティングしてある構造であってもよい。
【図面の簡単な説明】
【００３１】
【図１】この発明の実施の形態１を示す手乾燥装置の断面図である。
【図２】この発明の実施の形態 ２のエアーフィルタに近接したブラシの概略を示す断面図である。
【図３】この発明の実施の形態３を示す可動ブラシの概略を示す断面図である。
【図４】この発明の実施の形態４を示すドレン容器に具備したブラシの概略断面図である。
【図５】この発明の実施の形態１でドレン容器に具備したブラシの概略を示す上面図である。
【図６】この発明の実施の形態３で手乾燥装置エアーフィルタ部概略を示す正面図
【図７】この発明の実施の形態３でエアーフィルタのスライド構造を示す側面断面図である。
【図８】実施の形態３でエアーフィルタのスライド構造を示す斜視図である。
【図９】実施の形態４のエアーフィルタに近接した振動子概略を示す右側面断面図
【図１０】実施の形態５のドレン容器に具備した突起の概略を示す右側面断面図。
【図１１】実施の形態６でエアーフィルタのスライド構造を示す右側面断面図である。
【図１２】実施の形態６でエアーフィルタのスライド構造を示す斜視図である。
【符号の説明】
【００３２】
１  本体箱体、  ２  高圧空気流発生装置、  ３  手挿入部、  ４  ベース、  ５  正面パネル、  ６  水受け部、  ７  排水口、  ８  排水管、  ９  ドレン容器、  １０  ドレン容器の蓋、  １１  送風機の吸込み口、  １２  空気取入口、  １３  エアーフィルタ、  １４  エアーフィルタ枠、  １５  エアーフィルタ固定突起部、  １６  ガイドレール部、  １７  ブラシ、  １８  可動装置、  １９  エアーフィルタ左右突出部、  ２０  エアーフィルタの取っ手、  ２１  振動子、  ２２  ドレン容器の突起部、２３  エアーフィルタ近傍の突起部
【図１】
2006043085.tif 000003
【図２】
2006043085.tif 000004
【図３】
2006043085.tif 000005
【図４】
2006043085.tif 000006
【図５】
2006043085.tif 000007
【図６】
2006043085.tif 000008
【図７】
2006043085.tif 000009
【図８】
2006043085.tif 000010
【図９】
2006043085.tif 000011
【図１０】
2006043085.tif 000012
【図１１】
2006043085.tif 000013
【図１２】
2006043085.tif 000014